(57)【特許請求の範囲】
【請求項１】
水を電気分解して酸素を発生させる酸素発生器（２２０）からの酸素を、吸入または排出する流体ポンプ（２１０）を用いて水に供給して酸素水を製造する酸素水製造機を構成し、
飲料入りの携帯用飲料ボトル（１０）の入口に、下側に長さの長いノズル（１１０）付き飲料ボトルキャップ（１００）を結合した状態で、前記飲料ボトルキャップ（１００）を酸素水機本体（２００）に形成された飲料ボトルキャップ締結部（２３０）に結合して固定するか、或いは前記飲料ボトルキャップ（１００）を飲料ボトルキャップ締結部（２３０）に予め結合した状態で前記飲料ボトルキャップ（１００）に飲料ボトル（１０）を結合した後、メインボード（２０１）に備えられた酸素水発生スイッチ（２０１ａ）をタッチしてターンオンさせると、
酸素水機本体（２００）内の流体ポンプ（２１０）が作動しながら、携帯用飲料ボトル（１０）の飲料を飲料ボトルキャップ（１００）のノズル（１１０）に形成された水吸入孔（１１２）を介して強制的に吸入して第１連結管（１１）及び「Ｙ」型チューブを介して流体ポンプ（２１０）内へ移動させた後、第２連結管（１３）および飲料ボトルキャップ（１００）のノズル（１１０）に形成された酸素吐出孔（１１１）を介して携帯用飲料ボトル（１０）内に再度注入して飲料を循環させ続け、
前記飲料循環の際に、これと同時に、前記酸素水機本体（２００）の一側に別途装着された酸素発生用生水ボトル（３００）から生水または浄水の供給を受ける酸素発生器（２２０）で酸素を持続的に発生させ、フィルタによってフィルタリングした後、流体ポンプ（２１０）へ伝えられるように構成することで、
前記流体ポンプ（２１０）の作動によって飲料ボトル（１０）→流体ポンプ（２１０）→飲料ボトル（１０）へと循環を繰り返す飲料に、前記別途の生水ボトル（３００）から生水の供給を受ける酸素発生器（２２０）の作動によって酸素発生器（２２０）→フィルタ→流体ポンプ（２１０）へと伝えられる高純度の酸素が持続的に供給されて混合された状態で、第２連結管（１３）を介して飲料ボトルキャップ（１００）のノズル（１１０）に形成された酸素吐出孔（１１１）を介して吐出させて携帯用飲料ボトル（１０）内に高濃度の酸素が溶存した酸素水が生成されるように構成されることを特徴とする、酸素水製造機。
【請求項２】
前記酸素発生器（２２０）は、酸素水機本体（２００）の一側に別途に着脱可能に装着される酸素発生用生水ボトル（３００）から生水の供給を受けるように設置され、
酸素発生器（２２０）に備えられた水位感知センサー（２２１）の水位感知信号による電磁弁（３２０）の選択的な制御で生水ボトル（３００）内の生水の供給を受けることができるように構成されることを特徴とする、請求項１に記載の酸素水製造機。
【請求項３】
前記別途に装着される生水ボトル（３００）は、透明に製造され、生水の残存有無を肉眼で確認することができるように構成されることを特徴とする、請求項１または２に記載の酸素水製造機。
【請求項４】
前記酸素発生器（２２０）から発生する酸素をフィルタリングするフィルタは、
酸素発生器（２２０）の上部に一体的に装着され、生水の電気分解時に酸素と共に発生するオゾン及び生水に含まれているカルシウム（Ｃａ）、マグネシウム（Ｍｇ）、ケイ素（Ｓｉ）を含む各種無機物質または有機物質を湿式で１次的に濾過して酸素排出口（２２０ａ）を介して排出されるようにするカーボン材質の湿式オゾン除去フィルタ（２２２）と、
前記酸素排出口（２２０ａ）に連結設置され、乾式で２次的にオゾンを完全に濾過して高純度の酸素が生産されるようにするカーボン材質の乾式オゾン除去フィルタ（２２３）とから構成されることを特徴とする、請求項１に記載の酸素水製造機。
【請求項５】
前記酸素発生器（２２０）の底面に連結設置される水素排出口（２２０ｂ）を、酸素発生器の一側面の上部にスポンジ（４１０）が内蔵されたスポンジケース（４００）に連結設置して、水素排出口（２２０ｂ）側の内部に水が常に溜まっているように構成することにより、
水素排出口（２２０ｂ）側の水乾き現象による、酸素発生器（２２０）内の陽（＋）電極と陰（−）電極との間に備えられるイオン樹脂膜の変形により酸素が発生しなくなる現象が完全に防止されるように構成されることを特徴とする、請求項１に記載の酸素水製造機。
【発明の詳細な説明】
【技術分野】
【０００１】
本発明は、酸素水製造機に係り、より詳細には、水を電気分解して酸素を発生させる酸素発生器からの酸素を、吸入または排出する流体ポンプを用いて水に供給することにより、酸素水を製造する酸素水製造機を構成するが、その構成を特別に構成して生水や浄水だけでなく、その他に様々な種類の飲料、例えば、水道水、麦茶、緑茶、コーンひげ茶、焼酎などにも無理なく適用して使用することができるようにすることにより、使用の幅を大幅に広げるのはもとより、酸素発生の際に酸素と共に発生するオゾン及び生水に含まれているカルシウム（Ｃａ）、マグネシウム（Ｍｇ）、ケイ素（Ｓｉ）を含む無機物質または有機物質をカーボン材質の湿式オゾン除去フィルタを用いて湿式で１次的に濾過して酸素排出口を介して排出されるようにした後、酸素排出口に連設されたカーボン材質の乾式オゾン除去フィルタを用いて乾式で２次的に濾過することにより、オゾンを完全に濾した高純度の酸素のみが使用できるようにし、酸素発生器の底面に連結設置される水素排出口を、酸素発生器の一側面の上部にスポンジが内蔵されたスポンジケースに連結設置して、水素排出口側の内部に水が常に溜まっているようにすることにより、水素排出口側の水乾き現象による、酸素発生器内の陽電極と陰電極との間に備えられるイオン樹脂膜の変形により酸素が発生しなくなる現象が完全に防止されるようにすることができる酸素水製造機に関する。
【背景技術】
【０００２】
酸素は、呼吸によって体内に吸入され、血液によって人体の各器官に供給される。供給された酸素は、脳の活動と運動エネルギーに消費される。
【０００３】
生体内の酸素消費量は、各組織によって相当な差があり、脳と筋肉との酸素消費量を比較すると、脳の酸素消費量がより大きい。
【０００４】
全体の臓器、器官の中で最大の酸素消費者である脳は、その重量がわずか１．４Ｋｇであって体重の２％程度であるが、その酸素消費量は全身の約２５％に相当する。
【０００５】
脳は、筋肉とは異なり、酸素をある程度身に貯蔵することが可能な「ミオグロビン」などの物質を持っていないため、供給された酸素を一瞬すべて消費する。
【０００６】
呼吸している空気が無酸素状態になると、肺の血液によって必要な酸素分圧が起こらないので、その無酸素空気の一呼吸までも意識喪失をもたらす危険がある。
【０００７】
酸素は、我が身の酸化作用をし、感染性の微生物と病原菌に抵抗する力を与える。酸素を体内の隅々の細胞まで絶え間なく送らなければ生きることができない。このような動きを起こすものが心臓と肺である。肺には左右に約７億の肺細胞（肺胞）があって血液に酸素を供給し、心臓のポンプ作用によって体の隅々まで血液を供給する。
【０００８】
ほとんどの現代人の血液は、運動不足や有害食品により酸性化され、コレステロールが血管に付着して血液の流れを妨げることによりすべての生活習慣病のもとになっているが、新鮮な酸素の供給によって、衰えた機能を効果的に回復させることができる。
【０００９】
上述したような酸素を多量に含有した水を製造する、いわゆる酸素水製造機の例としては、韓国特許出願第１０−２００３−００３４７５５号の「酸素水製造機」を挙げることができる。
【００１０】
前記酸素水製造機は、ＰＳＡ方式、メンブレイン方式および平膜方式の３つの方法を用いる酸素発生装置によって酸素を発生させ、水に急速溶解させることにより酸素水を製造するものである。
【００１１】
しかし、上述したような従来の酸素水製造機は、酸素を発生させる過程が複雑であり、流体ポンプが空気を吸入し圧縮させてノズルへ送るときに発生する湿気が前記ノズル内のゼオライトに作用して、酸素を発生させるときに酸素の純度を急激に低下させる。また、前記流体ポンプから発生する騒音や振動がむしろユーザーにストレスを与えたり睡眠を妨害したりすることがあり、内部に細菌が繁殖するおそれがあるなどの問題点があった。
【００１２】
また、近年、電気分解方式を用いた酸素製造装置が開発され、使用されているが、この装置は、アルカリ電解質溶液を用いるのでその取り扱いに注意を要し、安全性が問題となるという欠点があった。
【００１３】
かかる問題点を勘案して案出したものとして、韓国特許出願第１０−２００５−３１０９１号の「水を用いた酸素製造装置」があるが、この装置は、電解質、添加剤などを使用せずに水を電気分解して高純度の酸素を製造することにより、作動が簡単で、騒音が発生せず、アルカリなどの電解質を使用しないため安全で管理が容易であり、効率が高く、電力消費量が少なく、コンパクトな外形を持つように構成されたものである。
【００１４】
ところが、前述した発明の酸素水機と水を用いた酸素製造装置を利用した酸素水機、およびその他の各種の酸素発生装置を用いた酸素水機はいずれも、酸素を発生させるための源水となる水を供給するために、別途の体積が大きい水タンクを備えてこの水タンクに水を供給し続けるか、或いは大きい水桶を頻繁に交換しながら水を供給しなければならないのはもとより、水の補充のために随時残量を確認しなければならないなどの不便さが多かった。
【００１５】
また、別途の体積が大きい水タンクまたは水桶を連結して設置するために体積が大きくなり、構造が非常に複雑になって製造コストが増加するのはもとより、必要な水の供給が遮断されると全く使用できなくなるという重大な問題点があった。その一方で、活性酸素の中でも、酸化力が強くて人体に有害な悪い活性酸素は、紫外線にさらされると、体内に大量に発生する。
【００１６】
活性酸素のすべてが人体に有害なわけではない。活性酸素にはスーパーオキシド、過酸化水素、ヒドロキシルラジカルなどの種類があるが、酸化力の弱い活性酸素、たとえばスーパーオキシドや過酸化水素などは、人体に必要な活動をして、血管の拡張、神経伝達、精子の形成、癌の防御、免疫力の増強などの役割を果たす。
【００１７】
したがって、活性酸素をすべて除去すると、逆に人体にさまざまな支障を与えるので、酸化力が強くて人体に有害な活性酸素だけを選択的に除去する方法についての研究が持続しており、その研究されているものが水素水である。
【００１８】
水素は、人体に必要な酸化力の弱い活性酸素とは反応せず、細胞や遺伝子を攻撃する酸化力の強い悪い活性酸素といわれるヒドロキシルラジカルを選択的に還元することができるからである。
【００１９】
また、活性酸素以外にも、活性炭素が呼吸ストレス、食品添加物、飲酒、喫煙、激しい運動、紫外線などにより体内で不可欠に蓄積されるが、多量に蓄積される場合、酸化作用が特に強くて体内を酸化させることがあり、これにより老化および病気の原因になるおそれがある。
【００２０】
水素水は、このような活性炭素を除去することもできる。水素が体内に入ると、炭素の作用により水素に分解され、原子水素は過剰炭素と結合して水に変換させることにより、過剰炭素を体外に排出することができるからである。
【００２１】
このように人体に有害な活性酸素と活性炭素を除去することができる水素発生器およびこれを用いた水素水機も従来から多く案出されたが、それらも上記の酸素水機と同様の問題点を抱えていた。
【００２２】
このため、高純度の酸素が多量に溶存した酸素水及び／又は水素水を製造することができるように案出したものとして、本出願人の先登録発明である韓国特許第１０−１７４２９４８号の「酸素水及び／又は水素水製造機」があるが、これは、基本的に、水を電気分解して酸素または水素を発生させる酸素／水素発生器からの酸素または水素を流体ポンプを用いて水に供給して酸素水または水素水を製造する酸素水および／または水素水製造機を構成するが、生水入りの携帯用生水ボトルの入口に、下方に長さの長いノズルが備えられた生水ボトルキャップを結合した状態で、前記生水ボトルキャップを酸素／水素水機本体に設けられた生水ボトルキャップ締結部に結合して固定するか或いは前記生水ボトルキャップを生水ボトルキャップ締結部に予め結合した状態で、前記生水ボトルキャップに生水ボトルを結合した後、メインボードに備えられた酸素／水素発生スイッチをターンオンすると、流体ポンプが、生水ボトルの水を、生水ボトルキャップのノズルに設けられた水吸入孔を介して強制的に吸入して、電磁弁を用いて、ノズルに設けられた酸素／水素吐出孔を介して生水ボトル内にさらに注入して水を循環させ続けるように構成するとともに、前記流体ポンプに吸入された水を水位感知センサーと電磁弁を用いて酸素／水素発生器へ随時供給しながら酸素または水素を発生させ、これを流体ポンプが強制的に吸入して、電磁弁を用いて、生水ボトルキャップのノズルに設けられた酸素／水素吐出孔を介して酸素または水素を吐出させるように構成することで、携帯用生水ボトル内の生水を源水として生水ボトル内に直接酸素水または水素水が生成されるようになされたもので、小さい体積に製造することができながらも、何時でも手軽に携帯用生水ボトル内の生水を源水として、携帯用生水ボトル内に、高純度の酸素または水素の溶解している酸素水または水素水を簡便かつ迅速かつ効率的に生成することができるという利点があるのはもとより、酸素水および／または水素水製造機本体に、酸素／水素発生器へ電源を供給する電源供給ラインに＋／−電極を変えて供給することが可能なアナログまたはデジタル方式の電極切替スイッチを連係設置することにより、単一の機器を用いて選択的に酸素水または水素水を生成することができるので、使用の利便性がより一層極大化されるという利点がある。
【００２３】
したがって、ユーザーが、必要に応じて、高純度の酸素および水素が溶解している酸素水または水素水を何時でも生成し、このように生成された酸素水または水素水を飲用することにより、体内に新鮮な酸素を供給するのはもとより、体内に水素を供給して、人体に有害な活性酸素または活性炭素を除去することにより、健康な生活を営むことができるようにしたのである。
【００２４】
ところが、本出願人の先登録発明である韓国特許第１０−１７４２９４８号は、携帯用生水ボトル内の生水を原水として直接使用するものであって、生水または生水ボトルに浄水を受けて使用することは可能であるが、その他に様々な種類の飲料、例えば、水道水、麦茶、緑茶、コーンひげ茶、焼酎などに適用して使用することはできない重大な欠点があった。
【００２５】
また、前記酸素／水素発生器の底面に連結設置される水素排出口側の水が乾く水乾き現象による、酸素発生器内の陽電極と陰電極との間に備えられるイオン樹脂膜の変形により酸素発生効率が減少したり、ひどい場合には全く酸素が発生しなくなったりする現象が発生するおそれがあった。
【発明の概要】
【発明が解決しようとする課題】
【００２６】
本発明は、上述したような本出願人の先登録発明である韓国特許第１０−１７４２９４８号をさらに改良して、水を電気分解して酸素を発生させる酸素発生器からの酸素を、吸入または排出する流体ポンプを用いて水に供給して酸素水を製造する酸素水製造機を構成するが、その構成を特別に構成して生水や浄水だけでなく、その他に様々な種類の飲料、例えば、水道水、麦茶、緑茶、コーンひげ茶、焼酎などに適用して使用することができるようにするのはもとより、酸素発生の際に酸素と一緒に発生するオゾン及び生水に含まれているカルシウム（Ｃａ）、マグネシウム（Ｍｇ）、ケイ素（Ｓｉ）を含む無機物質または有機物質をカーボン材質の湿式オゾン除去フィルタを用いて湿式で１次的に濾過して酸素排出口を介して排出されるようにした後、酸素排出口に連結設置されたカーボン材質の乾式オゾン除去フィルタを用いて乾式で２次的に濾過することにより、特にオゾンを完全に濾した高純度の酸素のみが使用できるようにし、酸素発生器の底面に連結設置される水素排出口を、酸素発生器の一側面の上部にスポンジが内蔵されたスポンジケースに連結設置して、水素排出口側の内部に水が常に溜まっているようにすることにより、水素排出口側の水乾き現象による、酸素発生器内の陽電極と陰電極との間に備えられるイオン樹脂膜の変形により酸素が発生しなくなる現象が完全に防止されるようにすることができる高品質の酸素水製造機を提供することを目的とする。
【課題を解決するための手段】
【００２７】
上記目的を達成するための酸素水製造機は、基本的に、水を電気分解して酸素を発生させる酸素発生器からの酸素を、吸入または排出する流体ポンプを用いて水に供給して酸素水を製造する酸素水製造機を構成するが、各種飲料（例えば生水、浄水、水道水、麦茶、コーンひげ茶、緑茶、焼酎など）入りの携帯用飲料ボトルの入口に、下側に長さの長いノズル付き飲料ボトルキャップを結合した状態で、前記飲料ボトルキャップを酸素水機本体に形成された飲料ボトルキャップ締結部に結合して固定するか、或いは前記飲料ボトルキャップを飲料ボトルキャップ締結部に予め結合した状態で前記飲料ボトルキャップに飲料ボトルを結合した後、メインボードに備えられた酸素水発生スイッチをタッチしてターンオンさせると、酸素水機本体内の流体ポンプが作動しながら、携帯用飲料ボトルの飲料を飲料ボトルキャップのノズルに形成された水吸入孔を介して強制的に吸入して第１連結管及び「Ｙ」型チューブを介して流体ポンプ内へ移動させた後、第２連結管および飲料ボトルキャップのノズルに形成された酸素吐出孔を介して携帯用飲料ボトル内に再度注入して飲料を循環させ続け、前記飲料循環の際に、これと同時に、前記酸素水機本体の一側に別途装着された酸素発生用生水ボトルから生水の供給を受ける酸素発生器で酸素を持続的に発生させ、フィルタによってフィルタリングした後、流体ポンプへ伝えられるように構成することで、前記流体ポンプの作動によって飲料ボトル→流体ポンプ→飲料ボトルへと循環を繰り返す飲料に、前記別途の生水ボトルから生水の供給を受ける酸素発生器の作動によって酸素発生器→湿式オゾン除去フィルタ→乾式オゾン除去フィルタ→流体ポンプへと伝えられる高純度の酸素が持続的に供給されて混合された状態で、第２連結管を介して飲料ボトルキャップのノズルに形成された酸素吐出孔を介して吐出させて携帯用飲料ボトル内に高濃度の酸素が溶存した酸素水が生成されるように構成されることにその特徴がある。
【発明の効果】
【００２８】
本発明の酸素水製造機は、全体積をコンパクトに製造することができるのは基本であり、酸素水機本体内の流体ポンプの作動によって携帯用飲料ボトル内の飲料が飲料ボトル→流体ポンプ→飲料ボトルへと循環を繰り返すとともに、別途の生水ボトルから生水の供給を受ける酸素発生器の作動によって酸素発生器→湿式オゾン除去フィルタ→乾式オゾン除去フィルタ→流体ポンプへと伝えられる高純度の酸素（酸素発生の際に酸素と共に発生するオゾン及び生水に含まれているカルシウム（Ｃａ）、マグネシウム（Ｍｇ）、ケイ素（Ｓｉ）などの各種無機物質または有機物質をカーボン材質の湿式オゾン除去フィルタを用いて湿式で１次的に濾過して酸素排出口から排出されるようにした後、酸素排出口に連結設置されたカーボン材質の乾式オゾン除去フィルタを用いて乾式で２次的に濾過することにより、オゾンが完全に濾される。）が持続的に供給され、携帯用飲料ボトル内に高濃度の酸素が溶存した酸素水が生成されるものであって、携帯用飲料ボトル内に生水や浄水だけでなく、その他に様々な種類の飲料、例えば、水道水、麦茶、緑茶、コーンひげ茶、焼酎などを入れるか、或いは容器のまま使用することができるなど、使用の幅が大幅に増大する。
【００２９】
また、酸素発生器の底面に連結設置される水素排出口を、酸素発生器の一側面の上部にスポンジが内蔵されたスポンジケースに連結設置して、水素排出口側の内部に水が常に溜まっているようにすることにより、水素排出口側の水乾き現象による、酸素発生器内の陽電極と陰電極との間に備えられるイオン樹脂膜の変形により酸素が発生しなくなる現象が完全に防止され、常に高純度の酸素が安定的に発生する。
【００３０】
また、本発明は、酸素水製造機本体に酸素発生器へ電源を供給する電源供給ラインに、＋／−電極を変えて供給することができるアナログまたはデジタル方式の電極切替スイッチを連係設置して、単一の機器を用いて選択的に酸素水または水素水を生成することができるので、使い勝手がより一層アップされるという利点がある。
【００３１】
したがって、本発明は、ユーザーが選択した飲料、すなわち、生水や浄水だけでなく、その他に様々な種類の飲料、例えば水道水、麦茶、緑茶、コーンひげ茶、焼酎など入りの携帯用飲料ボトル内に何時でも高純度の酸素及び水素が溶解された飲用水を製造し、これを飲用することにより、ユーザーが希望する種類の飲料を飲みながらも、体内に新鮮な酸素を供給するのはもとより、体内に水素を供給することにより、人体に有害な活性酸素や活性炭素を除去して健康な生活を営むことができる非常に画期的な発明である。
【図面の簡単な説明】
【００３２】
【図１】本発明の一実施形態に係る酸素水製造機の組立状態を示す正面斜視図である。
【図２】本発明の一実施形態に係る酸素水製造機の組立状態を示す背面斜視図である。
【図３】本発明の一実施形態に係る酸素水製造機の一部分解状態を示す平面斜視図である。
【図４】本発明の一実施形態に係る酸素水製造機の一部分解状態を示す底面斜視図である。
【図５】本発明の一実施形態に係る酸素水製造機の酸素水機本体の内部要部構造を右から見た背面斜視図である。
【図６】本発明の一実施形態に係る酸素水製造機の酸素水機本体の内部要部構造を左から見た背面斜視図である。
【図７】本発明の一実施形態に係る酸素水製造機の酸素水機本体の内部要部構造を示す底面斜視図である。
【図８】本発明の一実施形態に係る酸素水製造機の酸素水機の内部要部構造を示す右側面図である。
【図９】本発明の一実施形態に係る酸素水製造機の一部拡大断面図である。
【発明を実施するための形態】
【００３３】
以下、本発明の実施形態を添付の図１乃至図９に基づいて詳細に説明する。これらの実施形態は、本発明の理解を助けるために例示的に示したものであり、本発明は、ここで説明される実施形態とは異なり多様に変形実施できることが理解されるべきである。そして、本発明を説明するにあたり、関連する公知の機能あるいは構成要素についての具体的な説明が本発明の要旨を不要に不明確にするおそれがあると判断された場合、その詳細な説明および具体的な図示を省略する。また、添付図面は、発明の理解を助けるために、実際の縮尺通りに図示されたものではなく、一部の構成要素の寸法が誇張されるように図示されることもある。
【００３４】
本発明の酸素発生器を用いた酸素水製造機は、水を電気分解して酸素を発生させる酸素発生器２２０からの酸素を流体ポンプ２１０に吸入した後、水に供給して酸素水を製造する酸素水製造機を構成するが、飲料（例えば、生水、浄水、水道水、麦茶、コーンひげ茶、緑茶、焼酎など）入りの携帯用飲料ボトル１０の入口に、下側に長さの長いノズル１１０付き飲料ボトルキャップ１００を結合した状態で、前記飲料ボトルキャップ１００を酸素水機本体２００に形成された飲料ボトルキャップ締結部２３０に結合して固定するか、或いは、前記飲料ボトルキャップ１００を飲料ボトルキャップ締結部２３０に予め結合した状態で前記飲料ボトルキャップ１００に飲料ボトル１０を結合した後、メインボード２０１に備えられた酸素水発生スイッチ２０１ａをタッチしてターンオンさせると、酸素水機本体２００内の流体ポンプ２１０が作動しながら、携帯用飲料ボトル１０の飲料を飲料ボトルキャップ１００のノズル１１０に形成された水吸入孔１１２を介して強制的に吸入して第１連結管１１及び「Ｙ」型チューブ１２を介して流体ポンプ２１０内へ移動させた後、第２連結管１３及び飲料ボトルキャップ１００のノズル１１０に形成された酸素吐出孔１１１を介して携帯飲料ボトル１０内に再度注入して飲料を循環させ続け、前記飲料循環の際に、これと同時に、前記酸素水機本体２００の一側に別途装着された酸素発生用ペットボトル３００から生水の供給を受ける酸素発生器２２０で酸素を持続的に発生させ、フィルタによってフィルタリングした後、流体ポンプ２１０に伝えられるように構成することで、前記流体ポンプ２１０の作動によって飲料ボトル１０→流体ポンプ２１０→飲料ボトル１０へと循環を繰り返す飲料に、前記別途の生水ボトル３００から生水の供給を受ける酸素発生器２２０の作動によって酸素発生器２２０→フィルタ→流体ポンプ２１０へと伝えられる高純度の酸素が継続的に供給されて混合された状態で、第２連結管１３と飲料ボトルキャップ１００のノズル１１０に形成された酸素吐出孔１１１を介して吐出させて、携帯用飲料ボトル１０内に高濃度の酸素が溶解された酸素水が生成されるように構成される。
【００３５】
ここで、前記酸素発生器２２０は、酸素水機本体２００の一側に別途着脱可能に装着される酸素発生用生水ボトル３００から生水または生水ボトル３００内に充填された浄水の供給を受けるように設置されるが、酸素発生器２２０に備えられた水位感知センサー２２１の水位感知信号による電磁弁３２０の選択的な制御で生水ボトル３００内の生水又は浄水の供給を受けることができるように構成され、前記別途に装着される生水ボトル３００は、透明に製造され、生水の残存有無を肉眼で確認することができるように構成される。
【００３６】
また、前記酸素発生器２２０から発生する酸素をフィルタリングするフィルタは、酸素発生器２２０の上部に一体的に装着され、生水の電気分解時に酸素と共に発生するオゾン及び生水に含まれているカルシウム（Ｃａ）、マグネシウム（Ｍｇ）、ケイ素（Ｓｉ）などの各種無機物質または有機物質を湿式で１次的に濾過し、酸素排出口２２０ａを介して排出されるようにするカーボン材質の湿式オゾン除去フィルタ２２２と、前記酸素排出口２２０ａに連結設置され、乾式で２次的にオゾンを完全に濾過することにより高純度の酸素が生産されるようにするカーボン材質の乾式オゾン除去フィルタ２２３とで構成できる。
【００３７】
一方、本発明は、前記酸素発生器２２０の底面に連結設置される水素排出口２２０ｂを、酸素発生器２２０の一側面の上部にスポンジ４１０が内蔵されたスポンジケース４００に連結設置して、水素排出口２２０ｂ側の内部に水が常に溜まっているように構成することで、水素排出口２２０ｂ側の水乾き現象による、酸素発生器２２０内の陽（＋）電極と陰（−）電極との間に備えられるイオン樹脂膜の変形により酸素が発生しなくなる現象が完全に防止されるように構成できる。
【００３８】
一方、本発明は、酸素水機本体２００に酸素発生器２２０へ電源を供給するが、＋／−電極を切り替えることができる通常のアナログまたはデジタル方式の電極切替スイッチ２０１ｂを酸素発生器２２０に連係設置し、前記酸素発生器２２０の水素排出口２２０ｂ側にもカーボン材質のオゾン除去フィルタをさらに設置することにより、単一の機器を用いて選択的に酸素水だけでなく、水素水までも生成することができる。
【００３９】
次に、本発明の酸素水製造機の作動状態を説明する。
【００４０】
本発明の酸素水製造機を用いて酸素水を製造するためには、まず、酸素水機本体２００の一側に形成された生水ボトル固定ブラケット３１０に生水または浄水を充填した状態の酸素発生用生水ボトル３００を装着することにより、酸素発生器２２０に酸素発生用生水又は浄水を供給することができるようにする。
【００４１】
次に、各種飲料（例えば、生水、浄水、水道水、麦茶、コーンひげ茶、緑茶、焼酎など）入りの携帯用飲料ボトル１０の入口に、飲料ボトルキャップ１００に備えられた飲料ボトル入口結合部１０１を螺合して飲料ボトルキャップ１００を固定締結する。
【００４２】
こうすれば、前記飲料ボトルキャップ１００に下側に長く形成されたノズル１１０の下側が飲料中に漬かりながら、前記ノズル１１０の下側に備えられた酸素吐出孔１１１と水吸入孔１１２も飲料に漬かるようになる。
【００４３】
このような状態で、前記携帯用飲料ボトル１０が結合された飲料ボトルキャップ１００を、前記酸素水機本体２００の突出ヘッド２００ａの底面に形成された飲料ボトルキャップ締結部２３０に固定締結しなければならないが、本発明は、一実施形態として、前記飲料ボトルキャップ１００の締結突起１０２を飲料ボトルキャップ締結部２３０のキャップ締結溝２３１に挿入して回転させると、飲料ボトルキャップ１００が飲料ボトルキャップ締結部２３０に結合されるとともに、前記飲料ボトルキャップ１００の上部中央には、酸素供給流路１２０ａ及び水排出流路１２０ｂが形成されたシリコーン材質のノズルキャップ１２０が備えられており、前記飲料ボトルキャップ締結部２３０の入口の上面には、酸素供給流路２３２ａ及び水排出流路２３２ｂが形成されたシリコーン材質のノズルキャップ密着具２３２が備えられているので、これらのノズルキャップ密着具２３２の底面にノズルキャップ１２０の上面が緊密に密着されながら、自然に前記ノズルキャップ１２０に形成された酸素供給流路１２０ａ及び水排出流路１２０ｂがノズルキャップ密着具２３２に形成された酸素供給流路２３２ａ及び水排出流路２３２ｂとそれぞれ連結されることにより、連通して飲料と酸素の移動が可能になる。
【００４４】
一方、本発明は、前記飲料ボトルキャップ１００を飲料ボトルキャップ締結部２３０に予め結合した状態で前記飲料ボトルキャップ１００に飲料ボトル１０を結合することもできる。
【００４５】
上述したような方法で携帯用飲料ボトル１０を酸素水機本体２００に連結設置して準備が完了すると、
前記メインボード２０１に備えられた酸素水発生スイッチ２０１ａをタッチしてターンオンさせると、設定された数分の間、機器が作動しながら携帯用飲料ボトル１０に酸素水が生成される。
【００４６】
つまり、流体ポンプ２１０が作動することにより、携帯用飲料ボトル１０の飲料を飲料ボトルキャップ１００のノズル１１０に形成された水吸入孔１１２を介して強制的に吸入して第１連結管１１及び「Ｙ」型チューブ１２を介して酸素水機本体２００内に移動、さらに正確には液体ポンプ２１０内に移動した後、第２連結管１３及び飲料ボトルキャップ１００のノズル１１０に形成された酸素吐出孔１１１を介して携帯用飲料ボトル１０内に再度注入して飲料を循環させ続け、前記流体ポンプ２１０の作動による飲料循環の際に、これと同時に酸素発生器２２０が作動しながら水の電気分解によって酸素が発生し、発生した酸素は、エア電磁弁２２４の作動によって、酸素発生器２２０に一体的に装着されたカーボン材質の湿式オゾン除去フィルタ２２２を通過しながら、生水の電気分解時に酸素と共に発生するオゾン及び生水に含まれているカルシウム（Ｃａ）、マグネシウム（Ｍｇ）、ケイ素（Ｓｉ）などの各種無機物質または有機物質を湿式で１次的に濾過した状態で、酸素排出口２２０ａを介してカーボン材質の乾式オゾン除去フィルタ２２３を再度通過しながら、乾式で２次的に特にオゾンを完全に濾すことにより、高純度の酸素が持続的に生産される。
【００４７】
このように生産された高純度の酸素は、第３連結管１４を介してエア電磁弁２２４に移動した後、第４連結管１５を介して「Ｙ」型チューブ１２へ伝達され、これにより流体ポンプ２１０に伝えられる。
【００４８】
したがって、前記流体ポンプ２１０の作動によって飲料ボトル１０→流体ポンプ２１０→飲料ボトル１０へと循環を繰り返す飲料に、前記別途の生水ボトル３００から生水の供給を直接受ける前記酸素発生器２２０の作動によって酸素発生器２２０→湿式オゾン除去フィルタ２２２→乾式オゾン除去フィルタ２２３→流体ポンプ２１０へと伝えられる高純度の酸素が継続的に供給されて混合された状態で、第２連結管１３を介して飲料ボトルキャップ１００のノズル１１０に形成された酸素吐出孔１１１を介して吐出される。
【００４９】
よって、飲料ボトル１０内に酸素が持続的に供給され、飲料に溶解されて非常に簡便に携帯用飲料ボトル１０内に直接酸素水が生成されるのである。
【００５０】
したがって、前記本発明の酸素水製造機を使用すると、何時でも便利に携帯用飲料ボトル１０内の各種飲料に高純度の酸素を供給して飲料ボトル１０内に飲料の種類に応じて、例えば、生水、浄水、水道水、麦茶などの場合には酸素水が簡便かつ迅速かつ完全に生成され、飲料が焼酎である場合には高純度の酸素が多量溶存した酸素焼酎が簡便かつ迅速かつ完全に生成される。
【００５１】
また、本発明は、酸素水製造機本体に酸素発生器へ電源を供給する電源供給ラインに＋／−電極を変えて供給することができるアナログまたはデジタル方式の電極切替スイッチを連係設置して単一の機器を用いて選択的に酸素水または水素水を生成することができる。
【００５２】
したがって、本発明は、ユーザーが選択した飲料、すなわち、生水や浄水だけでなく、その他に様々な種類の飲料、例えば水道水、麦茶、緑茶、コーンひげ茶、焼酎など入りの携帯用飲料ボトル内に何時でも高純度の酸素及び水素が溶解された飲用水を製造し、これを飲用することにより、ユーザーが希望する種類の飲料を飲みながらも、体内に新鮮な酸素を供給するのはもとより、体内に水素を供給して、人体に有害な活性酸素や活性炭素を除去することにより、健康な生活を営むことができる。
【００５３】
以上の如く、本発明は、たとえ限定された実施形態と図面によって説明されたが、これらの実施形態に限定されず、本発明の属する技術分野における通常の知識を有する者によって本発明の技術思想と特許請求の範囲の均等範囲内で多様な修正および変形が可能であるのはもちろんである。
【産業上の利用可能性】
【００５４】
本発明の酸素水製造機は、生水や浄水だけでなく、その他に様々な種類の飲料、例えば水道水、麦茶、緑茶、コーンひげ茶、焼酎などにも適用して使用することができるので、使用の幅が大幅に向上する。
【００５５】
また、酸素発生の際に酸素と共に発生するオゾン及び生水に含まれているカルシウム（Ｃａ）、マグネシウム（Ｍｇ）、ケイ素（Ｓｉ）などの各種無機物質または有機物質をさらに完全に濾過した高純度の酸素のみを使用することができる。
【００５６】
一方、酸素発生器の底面に連結設置される水素排出口側の水乾き現象による、酸素発生器内の陽電極と陰電極との間に備えられるイオン樹脂膜の変形により酸素の発生効率が低下するか或いは全く発生しなくなる現象を完全に防止することができる。
【００５７】
上述したように、本発明は、生水や浄水だけでなく、その他に様々な種類の飲料、例えば、水道水、麦茶、緑茶、コーンひげ茶、焼酎などにも思いのまま使用することができるなど、使用の幅が非常に広いため、活性酸素を除去する理美容分野だけでなく、各種飲料水分野においても広く活用することができるものと期待される。
【図１】
0006850053.tif 000002
【図２】
0006850053.tif 000003
【図３】
0006850053.tif 000004
【図４】
0006850053.tif 000005
【図５】
0006850053.tif 000006
【図６】
0006850053.tif 000007
【図７】
0006850053.tif 000008
【図８】
0006850053.tif 000009
【図９】
0006850053.tif 000010